(57)【特許請求の範囲】
【請求項１】
建物の壁に設けた室外側開口から室内に延在する通路構成体と、前記通路構成体の室内側端部に設けた風向部材とを備え、前記通路構成体の内部を通過して室内に至る空気の流れを前記風向部材によって制御するようにした換気装置であって、
前記通路構成体の室内側端部には前記通路構成体とは別体となる換気枠が配設されているとともに、前記換気枠に前記風向部材が支持されており、
前記通路構成体及び前記換気枠にはそれぞれ係合部が設けられ、かつこれら通路構成体及び換気枠の間にはタイト材が設けられており、
前記係合部は、前記風向部材が第１の向きとなる状態で前記換気枠が前記通路構成体に配設された場合に互いに係合可能、かつ前記風向部材が第２の向きとなる状態で前記換気枠が前記通路構成体に配設された場合に互いに係合可能となり、
前記換気枠には、前記風向部材が前記第１の向きとなる状態で前記通路構成体に配設された場合に前記タイト材が装着されるタイト材装着部と、前記風向部材が前記第２の向きとなる状態で前記通路構成体に配設された場合に前記タイト材が装着されるタイト材装着部とが予め設けられ、
前記タイト材は、前記風向部材が前記第１の向きとなった状態で前記係合部が係合した場合に前記通路構成体と前記換気枠との接合部に介在するように前記タイト材装着部の一方にのみ装着され、かつ前記風向部材が前記第２の向きとなった状態で前記係合部が係合した場合に前記通路構成体と前記換気枠との接合部に介在するように前記タイト材装着部の他方にのみ装着される
ことを特徴とする換気装置。
【請求項２】
前記通路構成体は、前記室外側開口から室内に向かうに従って漸次上方となるように湾曲する部分を有し、前記室内側端部がほぼ水平となるように構成され、
前記風向部材は、一側縁部にヒンジ部を有し、前記ヒンジ部を介して前記換気枠に開閉可能に支持され、
前記換気枠は、前記ヒンジ部がほぼ水平、かつ前記建物の壁に平行となる状態で前記通路構成体の室内側端部に配設され、前記風向部材の他側縁部が上方に突出した場合に開放されるものであり、
前記係合部は、前記風向部材の他側縁部が室内側となった前記第１の向きにおいて係合し、かつ前記風向部材の他側縁部が室外側となった前記第２の向きにおいて係合する
ことを特徴とする請求項１に記載の換気装置。
【請求項３】
前記通路構成体は、前記建物の壁に設けられ、前記室外側開口を構成する開口枠と、
前記開口枠の室内に臨む見付け面から室内側に向けて漸次上方となるように湾曲した湾曲通路部とを有し、
前記換気枠は、少なくとも互いに平行に延在する２つの枠構成材を備えて構成され、
前記係合部は、前記開口枠の室内に臨む見付け面に設けた第１の係合片と、前記湾曲通路部の上端部に設けた第２の係合片とを有するとともに、前記換気枠の枠構成材に設けた係合受部を有し、前記換気枠が前記通路構成体の上端部に配置された場合に前記第１の係合片及び前記第２の係合片がそれぞれ前記換気枠の前記係合受部に係合され、
前記タイト材は、前記換気枠において前記開口枠の見付け面に対向する部位に装着した外周タイト材部分と、前記換気枠において前記湾曲通路部の上端面に対向する部位に装着した下方タイト材部分とを備える
ことを特徴とする請求項２に記載の換気装置。
【請求項４】
前記換気枠と前記湾曲通路部との間には、前記下方タイト材部分を前記湾曲通路部の上面に押圧した状態に維持する押圧係合部が設けられていることを特徴とする請求項３に記載の換気装置。
【請求項５】
前記湾曲通路部は、前記開口枠から室内側に向けて漸次上方となるように湾曲した下方板部と、前記下方板部の両側に配置した２つの側方板部とを有したものであり、
前記下方板部には、前記開口枠の見付け面に対向する部位にほぼ水平に延在する通路側横タイト材が設けられ、かつ前記２つの側方板部には、前記開口枠の見付け面に対向する部位にほぼ鉛直に延在し、下端部が前記通路側横タイト材に連続する通路側縦タイト材が設けられており、
前記係合部が係合した場合に前記通路側縦タイト材の上端部がそれぞれ前記外周タイト材部分に連続することを特徴とする請求項３に記載の換気装置。
【発明の詳細な説明】
【技術分野】
【０００１】
本発明は、建物の壁に設けた室外側開口から室内に延在する通路構成体と、通路構成体の室内側端部に設けた風向部材とを備え、通路構成体の内部を通過して室内に至る空気の流れを風向部材によって制御するようにした換気装置に関するものである。
【背景技術】
【０００２】
ビル等の建物には、壁に設けた室外側開口から室内に延在するように通路構成体を設け、通路構成体に空気を流通させることで自然換気を行う換気装置を備えるものがある。この種の換気装置では、通路構成体の室内側端部に風向部材が設けられており、風向部材によって室内に至る空気の流れを制御することが可能である。すなわち、風向部材によって通路構成体の室内側端部を開放した場合には、室外の空気を室内に取り入れて換気を行うことができる。一方、風向部材によって通路構成体の室内側端部を閉塞した場合には、室外と室内との間の空気の流通が阻止される。従って、例えば、風が強いときにも、強い風が直接室内に導入されるような事態を防止することが可能である（例えば、特許文献１参照）。
【先行技術文献】
【特許文献】
【０００３】
【特許文献１】特開２００３−２５３７７９号公報
【発明の概要】
【発明が解決しようとする課題】
【０００４】
ところで、特許文献１に記載された換気装置では、風向部材がヒンジによって通路構成体に支持されており、室内側に位置する縁部が上方に移動することで室内側端部が開放されることになる。こうした換気装置によれば、通路構成体から導入される空気を室内の遠くまで到達させることができ、換気効率の点で有利となる。但し、風向部材の室内側に位置する縁部が上方に移動するため、風向部材が開いた際に通路構成体の内部構成部品が視認可能になるばかりでなく、内部構成部品に手を触れることも容易となり得る。
【０００５】
一方、風向部材のヒンジを室内側に設けた換気装置では、室外側に位置する縁部が上方に移動することで室内側端部が開放されるため、通路構成体の内部構成部品が見えたり、内部構成部品に触れ易くなる事態を防止できる。但し、通路構成部材を通過した空気が風向部材によって壁側に案内されるため、室内に導入した空気が遠くまでは届き難くなる。
【０００６】
こうした状況を解決するには、室内側開口端部の室内側にヒンジを設けた通路構成体と、室内側開口端部の室外側にヒンジを設けた通路構成体とを用意し、要求される性能に対応した通路構成体を用いて換気装置を構成すれば良い。しかしながら、２種類の通路構成体を用意した場合には、部品管理の煩雑化が懸念される。
【０００７】
本発明は、上記実情に鑑みて、部品管理を煩雑化させることなく要求に応じて風向部材の向きを変更することのできる換気装置を提供することを目的とする。
【課題を解決するための手段】
【０００８】
上記目的を達成するため、本発明に係る換気装置は、建物の壁に設けた室外側開口から室内に延在する通路構成体と、前記通路構成体の室内側端部に設けた風向部材とを備え、前記通路構成体の内部を通過して室内に至る空気の流れを前記風向部材によって制御するようにした換気装置であって、前記通路構成体の室内側端部には前記通路構成体とは別体となる換気枠が配設されているとともに、前記換気枠に前記風向部材が支持されており、前記通路構成体及び前記換気枠にはそれぞれ係合部が設けられ、かつこれら通路構成体及び換気枠の間にはタイト材が設けられており、前記係合部は、前記風向部材が第１の向きとなる状態で前記換気枠が前記通路構成体に配設された場合に互いに係合可能、かつ前記風向部材が第２の向きとなる状態で前記換気枠が前記通路構成体に配設された場合に互いに係合可能となり、前記換気枠には、前記風向部材が前記第１の向きとなる状態で前記通路構成体に配設された場合に前記タイト材が装着されるタイト材装着部と、前記風向部材が前記第２の向きとなる状態で前記通路構成体に配設された場合に前記タイト材が装着されるタイト材装着部とが予め設けられ、前記タイト材は、前記風向部材が前記第１の向きとなった状態で前記係合部が係合した場合に前記通路構成体と前記換気枠との接合部に介在するように前記タイト材装着部の一方にのみ装着され、かつ前記風向部材が前記第２の向きとなった状態で前記係合部が係合した場合に前記通路構成体と前記換気枠との接合部に介在するように前記タイト材装着部の他方にのみ装着されることを特徴とする。
【０００９】
この発明によれば、通路構成体に対して支持させる換気枠の向きを変更することで風向部材の向きを変更することができるため、部品を複数種類用意する必要がなく、部品管理を煩雑化させることなく要求に応じた換気装置を提供することが可能となる。
【００１０】
また本発明は、上述した換気装置において、前記通路構成体は、前記室外側開口から室内に向かうに従って漸次上方となるように湾曲する部分を有し、前記室内側端部がほぼ水平となるように構成され、前記風向部材は、一側縁部にヒンジ部を有し、前記ヒンジ部を介して前記換気枠に開閉可能に支持され、前記換気枠は、前記ヒンジ部がほぼ水平、かつ前記建物の壁に平行となる状態で前記通路構成体の室内側端部に配設され、前記風向部材の他側縁部が上方に突出した場合に開放されるものであり、前記係合部は、前記風向部材の他側縁部が室内側となった前記第１の向きにおいて係合し、かつ前記風向部材の他側縁部が室外側となった前記第２の向きにおいて係合することを特徴とする。
【００１１】
この発明によれば、通路構成体が室内に向けて漸次上方に傾斜しているため、雨水等、室外の水が室内に浸入する事態を防止することができる。しかも、通路構成体の上端部に配設した風向部材を上方に突出させることで室内側開口端部が開放されるため、ヒンジ部の位置を選択することで換気効率を主目的とした仕様の換気装置と、外観品質を主目的とした仕様の換気装置とを構成することが可能である。
【００１２】
また本発明は、上述した換気装置において、前記通路構成体は、前記建物の壁に設けられ、前記室外側開口を構成する開口枠と、前記開口枠の室内に臨む見付け面から室内側に向けて漸次上方となるように湾曲した湾曲通路部とを有し、前記換気枠は、少なくとも互いに平行に延在する２つの枠構成材を備えて構成され、前記係合部は、前記開口枠の室内に臨む見付け面に設けた第１の係合片と、前記湾曲通路部の上端部に設けた第２の係合片とを有するとともに、前記換気枠の枠構成材に設けた係合受部を有し、前記換気枠が前記通路構成体の上端部に配置された場合に前記第１の係合片及び前記第２の係合片がそれぞれ前記換気枠の前記係合受部に係合され、前記タイト材は、前記換気枠において前記開口枠の見付け面に対向する部位に装着した外周タイト材部分と、前記換気枠において前記湾曲通路部の上端面に対向する部位に装着した下方タイト材部分とを備えることを特徴とする。
【００１３】
この発明によれば、通路構成体の上端部に換気枠を配置することで第１の係合片及び第２の係合片がそれぞれ係合受部に係合されるため、通路構成体に対する換気枠の取り付け作業を容易化することができる。
【００１４】
また本発明は、上述した換気装置において、前記換気枠と前記湾曲通路部との間には、前記下方タイト材部分を前記湾曲通路部の上面に押圧した状態に維持する押圧係合部が設けられていることを特徴とする。
【００１５】
この発明によれば、押圧係合部によって下方タイト材部分が換気枠と湾曲通路部との間に介在されるため、換気枠と通路構成体との間から雨水等の室外の水が室内に浸入するおそれがない。
【００１６】
また本発明は、上述した換気装置において、前記湾曲通路部は、前記開口枠から室内側に向けて漸次上方となるように湾曲した下方板部と、前記下方板部の両側に配置した２つの側方板部とを有したものであり、前記下方板部には、前記開口枠の見付け面に対向する部位にほぼ水平に延在する通路側横タイト材が設けられ、かつ前記２つの側方板部には、前記開口枠の見付け面に対向する部位にほぼ鉛直に延在し、下端部が前記通路側横タイト材に連続する通路側縦タイト材が設けられており、前記係合部が係合した場合に前記通路側縦タイト材の上端部がそれぞれ前記外周タイト材部分に連続することを特徴とする。
【００１７】
この発明によれば、開口枠と湾曲通路部との接合面及び開口枠と換気枠との隙間から雨水等の室外の水が室内に浸入するおそれがない。
【発明の効果】
【００１８】
本発明によれば、通路構成体に対して支持させる換気枠の向きを変更することで風向部材の向きを変更することができるため、部品を複数種類用意する必要がなく、部品管理を煩雑化させることなく要求に応じた換気装置を提供することが可能となる。
【図面の簡単な説明】
【００１９】
【図１】本発明の実施の形態である換気装置を適用した建具の要部を示すもので、風向部材が第１の向きで換気枠が配置された状態の縦断面図である。
【図２】図１に示した建具の要部を一部破断して示す横断面図である。
【図３】図１に示した建具に適用する換気装置の開口枠及び湾曲通路部を分解した状態の縦断面図である。
【図４】図１に示した建具に適用する換気装置の湾曲通路部及び換気枠を室外側から見た模式的な斜視図である。
【図５】図４に示した湾曲通路部及び換気枠を室外側から見た模式的な分解斜視図である。
【図６】図１に示した建具に適用する換気装置の換気枠及び風向部材を建具の見付け方向に沿った鉛直面で破断した断面図である。
【図７】図１に示した建具に適用する換気装置の換気枠及び風向部材を建具の見込み方向に沿った鉛直面で破断した断面図である。
【図８】図１に示した建具に適用する換気装置の換気枠を風向部材が第１の向きで配置する場合の状態と、風向部材が第２の向きで配置する場合の状態とを分解して示す縦断面図である。
【図９】図１に示した建具において風向部材が第２の向きで換気枠が配置された状態の縦断面図である。
【図１０】図９に示した建具の要部を一部破断して示す横断面図である。
【発明を実施するための形態】
【００２０】
以下、添付図面を参照しながら本発明に係る換気装置の好適な実施の形態について詳細に説明する。
図１〜図５は、本発明の実施の形態である換気装置を示したものである。ここで例示する換気装置は、ビル等の建物に設けられた建具に付設されるものである。本実施の形態では特に、はめ殺し窓１の下方部に付設される横型の自然換気装置１０を例示している。はめ殺し窓１は、図には明示していないが、左右の縦枠材２の間に上方から上枠材（図示せず）、横桟材３及び下枠材４を順次水平方向に沿って配設し、左右の縦枠材２、上枠材（図示せず）及び横桟材３によって囲まれる部位にガラス５を装着することによって構成したものである。左右の縦枠材２、横桟材３及び下枠材４によって構成される矩形状の開口枠６は、換気装置１０の室外側開口１１となるものである。左右の縦枠材２、横桟材３及び下枠材４には、開口枠６の内周側において室内側に位置する縁部にそれぞれヒレ状部２ａ，３ａ，４ａが設けてある。ヒレ状部２ａ，３ａ，４ａは、互いに同一の見込み位置から突出した薄板状部分である。この開口枠６には、ルーバー７及び防塵部材８が見込み方向に並設してあるとともに、室内に臨む見付け面に係合片部材２０及び湾曲通路部３０が取り付けてある。
【００２１】
ここで、見込み方向とは、図中の矢印Ａで示すように、建具の奥行きに沿った方向である。見込み方向に沿った面については、見込み面と称する場合がある。見付け面とは、見付け方向に沿った面である。見付け方向は、横桟材３や下枠材４等のように水平方向に沿って延在するものの場合、見込み方向に直交した上下に沿う方向である。縦枠材２等のように上下方向に沿って延在するものの場合には、見込み方向に直交した水平に沿う方向を見付け方向という。なお、以下においては便宜上、換気装置１０を含む建具の構成については、建物に取り付けた状態の姿勢でそれぞれを説明することとする。
【００２２】
ルーバー７は、ほぼ水平に延在したもので、上下に複数並設してある。防塵部材８は、防塵ネット８ａの四周に防塵枠８ｂを装着することによって構成したもので、防塵枠８ｂを介して開口枠６のヒレ状部２ａ，３ａ，４ａに取り付けてある。左右の縦枠材２、上枠材（図示せず）、横桟材３、下枠材４及びルーバー７は、アルミニウム合金等の金属によって成形した押し出し形材であり、それぞれが長手の全長にわたってほぼ一様の断面形状を有するように構成してある。
【００２３】
係合片部材２０は、横桟材３の室内に臨む見付け面に取り付けた薄板状部材であり、上端縁部に係合片（第１の係合片）２０ａを有している。係合片２０ａは、室内側に向けてわずかに屈曲した後、上方に向けて漸次わずかに室内側となるように傾斜している。係合片２０ａの上端縁位置は、横桟材３に設けた桟突出部３ｂの上端よりも下方となるように設定してある。桟突出部３ｂは、横桟材３の上面において室内側に位置する縁部から上方に向けてわずかに突出したものである。
【００２４】
湾曲通路部３０は、開口枠６とともに換気装置１０の通路構成体１２を構成するもので、左右の側方板部３１及び下方板部３２を有している。側方板部３１及び下方板部３２は、それぞれアルミニウム合金等の金属によって成形した押し出し形材であり、押し出し方向の全長にわたってほぼ一様の断面形状を有するように構成してある。本実施の形態では、押し出し方向が上下となるように側方板部３１が成形してあり、押し出し方向が左右となるように下方板部３２が成形してある。
【００２５】
側方板部３１は、矩形の平板状を成す基板３１ａの室外側に位置する縁部に縦タイト材装着部３１ｂ及びフランジ部３１ｃを一体に成形したものである。縦タイト材装着部３１ｂは、基板３１ａの室外側に位置する縁部に沿って延在した溝状部分であり、その内部に通路側縦タイト材３３を保持している。図からも明らかなように、縦タイト材装着部３１ｂは、基板３１ａの一方の側面から突出するように設けてある。縦タイト材装着部３１ｂにおいて基板３１ａから離隔した側の溝壁部３１ｄは、基板３１ａよりも室外側にわずかに突出している。フランジ部３１ｃは、基板３１ａからほぼ直角に屈曲したものである。これら左右の側方板部３１は、縦タイト材装着部３１ｂが互いに近接し、かつフランジ部３１ｃが互いに離反する方向に延在した状態で下方板部３２の両端部に接合してある。なお、図には明示していないが、側方板部３１と下方板部３２との接合部には、適宜シーラーを塗布することによって水密性及び気密性を確保することが好ましい。
【００２６】
下方板部３２は、開口枠６を構成する下枠材４から室内側に向けて漸次上方となるように湾曲したものである。下方板部３２の室内側に位置する部分は、ほぼ鉛直に沿って延在しており、その上端部に枠支持部３４を有している。枠支持部３４は、枠当接板部３４ａ、係合板部３４ｂ及び支持板部３４ｃを備えて構成したものである。
【００２７】
枠当接板部３４ａは、下方板部３２の上端縁から見込み方向に沿ってほぼ水平に延在した平板状部分である。枠当接板部３４ａの位置は、横桟材３に設けたヒレ状部３ａの下端縁よりも上方となるように設定してある。係合板部３４ｂは、枠当接板部３４ａの室内側に位置する縁部から鉛直方向に沿って上方に延在したもので、上端縁部に係合片（第２の係合片）３４ｄを有している。係合片３４ｄは、室外側に向けてわずかに屈曲した後、上方に向けて漸次わずかに室外側となるように傾斜している。係合片３４ｄの上端縁位置は、係合片部材２０の係合片２０ａと同一となるように設定してある。係合板部３４ｂにおいて室外に臨む見付け面には、押圧係合部３４ｅが設けてある。押圧係合部３４ｅは、係合板部３４ｂの下方部から室外に向けて突出した薄板状部分であり、枠当接板部３４ａとほぼ平行となるように延在している。支持板部３４ｃは、枠当接板部３４ａの室外側に位置する縁部から鉛直方向に沿って上方に延在したものである。支持板部３４ｃの上端縁位置は、押圧係合部３４ｅよりもわずかに下方となるように設定してある。
【００２８】
一方、下方板部３２の室外側に位置する部分は、ほぼ水平に沿って延在しており、室外側に位置する縁部に横タイト材装着部３５及び接合ヒレ部３６を有している。横タイト材装着部３５は、下方板部３２の室外側に位置する縁部に沿って延在した溝状部分であり、その内部に通路側横タイト材３７を保持している。通路側横タイト材３７は、通路側縦タイト材３３と同一の断面形状を有したもので、下方板部３２のほぼ全幅にわたって設けてある。この通路側横タイト材３７は、その両端部が通路側縦タイト材３３の下端部に接触し、個々の通路側縦タイト材３３と連続している。接合ヒレ部３６は、横タイト材装着部３５の下縁から下方に向けてほぼ直角に延在した部分である。
【００２９】
上述の湾曲通路部３０は、下方板部３２の室外側に位置する縁部が下枠材４のヒレ状部４ａを超えて室外側に位置するとともに、側方板部３１の縦タイト材装着部３１ｂが縦枠材２のヒレ状部２ａを超えて室外側に位置し、この状態からフランジ部３１ｃ及び接合ヒレ部３６を介して下枠材４及び縦枠材２にそれぞれ取付ネジＳを螺合することによって開口枠６に取り付けてある。この状態においては、下方板部３２の通路側横タイト材３７及び側方板部３１の通路側縦タイト材３３がそれぞれ下枠材４の室内に臨む見付け面及び縦枠材２の室内に臨む見付け面に圧接され、互いの間の水密性及び気密性が確保されている。
【００３０】
これら開口枠６及び湾曲通路部３０によって構成される通路構成体１２には、室内側端部に換気枠４０を介して風向部材５０が配設してある。換気枠４０は、図６及び図７に示すように、左右の横枠構成材４１と、横枠構成材４１の端部に設けた戸先枠構成材４２及び支持枠構成材４３とを備え、これらの枠構成材４１，４２，４３を四周枠組みすることによって構成したものである。換気枠４０を構成する横枠構成材４１、戸先枠構成材４２及び支持枠構成材４３は、それぞれアルミニウム合金等の金属によって成形した押し出し形材であり、長手の全長にわたってほぼ一様の断面形状を有するように構成してある。本実施の形態では、横枠構成材４１、戸先枠構成材４２及び支持枠構成材４３のそれぞれに下方当接ヒレ部４１ａ，４２ａ，４３ａ及び上方当接ヒレ部４１ｂ，４２ｂ，４３ｂが設けてあり、さらに戸先枠構成材４２及び支持枠構成材４３のそれぞれに係合受部４２ｃ，４３ｃ、外周タイト材装着部４２ｄ，４３ｄ及び下方タイト材装着部４２ｅ，４３ｅが設けてある。
【００３１】
下方当接ヒレ部４１ａ，４２ａ，４３ａ及び上方当接ヒレ部４１ｂ，４２ｂ，４３ｂは、それぞれの枠構成材４１，４２，４３から換気枠４０の内周に向けて突出したものである。下方当接ヒレ部４１ａ，４２ａ，４３ａは、上方当接ヒレ部４１ｂ，４２ｂ，４３ｂよりも内周まで突出しており、個々の突出縁部に防虫ネット４５を保持している。下方当接ヒレ部４１ａ，４２ａ，４３ａの上面には、下方タイト材４６が設けてあり、上方当接ヒレ部４１ｂ，４２ｂ，４３ｂの上面には、上方タイト材４７が設けてある。図には明示していないが、下方タイト材４６及び上方タイト材４７は、互いに隣接するものの端部が接合した状態にあり、それぞれが矩形の枠状に連続している。
【００３２】
係合受部４２ｃ，４３ｃは、戸先枠構成材４２及び支持枠構成材４３の外周側に位置する上端部を外周側に突出させることによって構成したもので、係合爪４２ｆ，４３ｆを有している。係合爪４２ｆ，４３ｆは、係合受部４２ｃ，４３ｃの外周側下面となる部位から下方に向けて突出した小片部分である。係合受部４２ｃ，４３ｃの下面において係合爪４２ｆ，４３ｆよりも内周側となる部位には、収容凹部４２ｇ，４３ｇが設けてある。この係合受部４２ｃ，４３ｃは、戸先枠構成材４２及び支持枠構成材４３において互いに同一の高さとなる位置に設けてあり、収容凹部４２ｇ，４３ｇの天井面から換気枠４０の上面までの距離が、係合片２０ａの上端から桟突出部３ｂの上端位置までの距離とほぼ等しくなるように構成してある。
【００３３】
外周タイト材装着部４２ｄ，４３ｄ及び下方タイト材装着部４２ｅ，４３ｅは、それぞれタイト材を装着するための溝状部分である。戸先枠構成材４２に設けた外周タイト材装着部４２ｄ及び下方タイト材装着部４２ｅと、支持枠構成材４３に設けた外周タイト材装着部４３ｄ及び下方タイト材装着部４３ｅとは、それぞれの係合受部４２ｃ，４３ｃとともに互いに対称形状となるように構成してある。
【００３４】
外周タイト材装着部４２ｄ，４３ｄは、戸先枠構成材４２及び支持枠構成材４３の外周側に位置する下端部に設けたもので、外周に向けて開口している。この外周タイト材装着部４２ｄ，４３ｄには、通路構成体１２に設けた通路側縦タイト材３３と同一の断面形状を有した外周タイト材部分４８を着脱可能に装着することができる。外周タイト材装着部４２ｄ，４３ｄに装着した外周タイト材部分４８は、戸先枠構成材４２の係合受部４２ｃ及び支持枠構成材４３の係合受部４３ｃに対して係合片部材２０の係合片２０ａを係合させた場合に、その両端部が通路側縦タイト材３３の上端部に接触することが可能である。図からも明らかなように、外周タイト材装着部４２ｄ，４３ｄは、戸先枠構成材４２及び支持枠構成材４３の外周側に突出している。外周タイト材装着部４２ｄ，４３ｄの上下に沿った寸法は、枠当接板部３４ａと押圧係合部３４ｅとの間に嵌合させることができる大きさに設定してある。戸先枠構成材４２及び支持枠構成材４３の係合受部４２ｃ，４３ｃに対して係合板部３４ｂの係合片３４ｄに係合させた場合、外周タイト材装着部４２ｄ，４３ｄは、枠当接板部３４ａと押圧係合部３４ｅとの間に嵌合されることになる。
【００３５】
下方タイト材装着部４２ｅ，４３ｅは、戸先枠構成材４２及び支持枠構成材４３の下面に設けたもので、下方に開口している。この下方タイト材装着部４２ｅ，４３ｅには、断面が円形状を成す下方タイト材部分４９を着脱可能に装着することができる。下方タイト材装着部４２ｅ，４３ｅに装着した下方タイト材部分４９は、戸先枠構成材４２の係合受部４２ｃ及び支持枠構成材４３の係合受部４３ｃに対して係合板部３４ｂの係合片３４ｄを係合させた場合に、枠当接板部３４ａの上面に圧接されることになる。
【００３６】
風向部材５０は、換気枠４０に対して蓋体としても機能するもので、上板部５１及び下箱部５２を備えている。上板部５１は、四周の下面に上方タイト材４７を当接させることのできる大きさを有した矩形の平板状を成すものである。下箱部５２は、上板部５１の下面においてほぼ中央となる部位に設けた中空の直方体状部分である。この下箱部５２は、上板部５１の下面に上方タイト材４７が当接した際に四周の下面に下方タイト材４６を当接させることのできる大きさに構成してある。
【００３７】
この風向部材５０には、上板部５１の一方の縁部と支持枠構成材４３の上方当接ヒレ部４３ｂとの間に形材ヒンジ部５３が構成してあるとともに、横枠構成材４１と下箱部５２との間にリンク機構５４が構成してある。これら形材ヒンジ部５３及びリンク機構５４は、換気枠４０に対して風向部材５０を移動可能に支持するためのもので、形材ヒンジ部５３を軸心として上板部５１の他方の縁部が上下に移動する状態で換気枠４０に対して風向部材５０を開閉することが可能である。すなわち、図１中の実線で示すように、他方の縁部が下方に位置した状態においては、上板部５１の四周に上方タイト材４７が当接し、かつ下箱部５２の四周に下方タイト材４６が当接し、換気枠４０が閉塞した状態となる。従って、この閉塞状態においては、換気枠４０を介した空気や水の流通が阻止されることになる。一方、図１中の２点鎖線で示すように、他方の縁部を上方に移動すれば、上板部５１及び下箱部５２から上方タイト材４７及び下方タイト材４６が離隔し、換気枠４０が開放された状態となる。なお、図中の符号６０は、風向部材５０に設けた錠手段である。この錠手段６０は、風向部材５０が閉じた状態で操作レバー６１を施錠操作することにより、換気枠４０を閉じた状態に維持することが可能である。
【００３８】
上記のように構成した換気装置１０では、図８中の上方に示すように、支持枠構成材４３の外周タイト材装着部４３ｄに外周タイト材部分４８を装着し、かつ戸先枠構成材４２の下方タイト材装着部４２ｅに下方タイト材部分４９を装着すれば、風向部材５０の形材ヒンジ部５３が室外側となる第１の向きで換気枠４０を通路構成体１２に配設することができる。すなわち、風向部材５０の形材ヒンジ部５３が室外側となる第１の向きで換気枠４０を通路構成体１２の室内側端部に配置させた場合には、図１及び図２に示すように、横桟材３に取り付けた係合片部材２０の係合片２０ａが支持枠構成材４３の係合受部４３ｃに係合するとともに、下方板部３２に設けた係合板部３４ｂの係合片３４ｄが戸先枠構成材４２の係合受部４２ｃに係合し、支持枠構成材４３が建物の壁に対してほぼ平行となる状態で換気枠４０が通路構成体１２に支持される。なお、通路構成体１２に配設した換気枠４０は、適宜位置にネジを螺合することによって通路構成体１２と接合することが好ましい。また、換気枠４０の横枠構成材４１と、通路構成体１２の側方板部３１との間には、適宜シーラーを塗布することによって水密性及び気密性を確保することが好ましい。なお、図１中の符号７０は、換気枠４０の室内側となる部位に接合した額縁部材である。
【００３９】
上記のようにして換気枠４０が通路構成体１２に支持された状態においては、風向部材５０によって換気枠４０が閉塞された場合に通路構成体１２を通じた空気の流れが阻止される。従って、例えば、風が強いときにも、強い風が直接室内に導入されるような事態を防止することが可能となる。操作レバー６１を操作して風向部材５０を上方に移動させれば、通路構成体１２及び換気枠４０を介して室外と室内とが連通された状態となり、室内の換気を行うことができる。
【００４０】
このとき、通路構成体１２が室内に向けて漸次上方に傾斜しているため、雨水等、室外の水が室内に浸入する事態を防止することができる。しかも、風向部材５０が室内に向けて漸次上方となるように傾斜することになるため、通路構成体１２から導入される空気を室内の遠くまで到達させることができ、換気効率の点で有利となる。
【００４１】
さらに、通路構成体１２に換気枠４０を配設した場合には、支持枠構成材４３に装着した外周タイト材部分４８の両端部が通路構成体１２に装着した通路側縦タイト材３３の上端部に接触し、互いに連続した状態で横桟材３の室内に臨む見付け面に圧接された状態となる。従って、開口枠６の四周に対して一連となった通路側横タイト材３７、通路側縦タイト材３３及び外周タイト材部分４８が圧接されることになる。加えて、換気枠４０と通路構成体１２との間においては、下方タイト材部分４９が枠当接板部３４ａの上面に圧接されることになる。これらにより、雨水等、室外の水が通路構成体１２の内部に浸入したとしても、開口枠６と湾曲通路部３０や換気枠４０との接合面並びに通路構成体１２と換気枠４０との間から室内に至るおそれがない。
【００４２】
一方、図８中の下方に示すように、戸先枠構成材４２の外周タイト材装着部４２ｄに外周タイト材部分４８を装着し、かつ支持枠構成材４３の下方タイト材装着部４３ｅに下方タイト材部分４９を装着すれば、風向部材５０の形材ヒンジ部５３が室内側となる第２の向きで換気枠４０を通路構成体１２に配設することができる。すなわち、風向部材５０の形材ヒンジ部５３が室内側となる第２の向きで換気枠４０を通路構成体１２の室内側端部に配置させた場合には、図９及び図１０に示すように、横桟材３に取り付けた係合片部材２０の係合片２０ａが戸先枠構成材４２の係合受部４２ｃに係合するとともに、下方板部３２に設けた係合板部３４ｂの係合片３４ｄが支持枠構成材４３の係合受部４３ｃに係合し、支持枠構成材４３が建物の壁に対してほぼ平行となる状態で換気枠４０が通路構成体１２に支持される。
【００４３】
上記のように風向部材５０が第２の向きとなる姿勢で換気枠４０が通路構成体１２に支持された状態においても、風向部材５０によって換気枠４０が閉塞された場合、通路構成体１２を通じた空気の流れが阻止され、室外の強い風が直接室内に導入されるような事態を防止することが可能となる。操作レバー６１を操作して風向部材５０を上方に移動させれば、通路構成体１２及び換気枠４０を介して室外と室内とが連通された状態となり、雨水等、室外の水が室内に浸入する事態を防止した上で室内の換気を行うことができる。このとき、風向部材５０が室外に向けて漸次上方となるように傾斜することになるため、室内側から通路構成体１２の内部構成部品が見えたり、触れ易くなる事態を防止できる。
【００４４】
さらに、風向部材５０が第２の向きとなる姿勢で換気枠４０を配設した場合においても、支持枠構成材４３に装着した外周タイト材部分４８が通路構成体１２の通路側縦タイト材３３に連続した状態で横桟材３の室内に臨む見付け面に圧接され、かつ下方タイト材部分４９が枠当接板部３４ａの上面に圧接されることになる。従って、風向部材５０が第１の向きとなる姿勢で換気枠４０が配設された場合と同様、雨水等、室外の水が通路構成体１２の内部に浸入したとしても、開口枠６と湾曲通路部３０や換気枠４０との接合面並びに通路構成体１２と換気枠４０との間から室内に至るおそれがない。
【００４５】
以上説明したように、この換気装置１０によれば、通路構成体１２に対して支持させる換気枠４０の向きを変更することで風向部材５０の向きを変更することが可能となる。従って、従来のように通路構成体１２を複数種類用意する必要がなく、部品管理を煩雑化させることなく要求に応じた向きで風向部材５０を設けることができる。
【００４６】
なお、上述した実施の形態では、はめ殺し窓１の下方に付設される換気装置１０を例示しているが、本発明はこれに限定されない。例えば、はめ殺し窓１の側方に付設される縦型の換気装置１０として構成することも可能である。また、室内側に向けて漸次上方となるように湾曲し、通路構成体１２の室内側端部がほぼ水平となる換気装置１０を例示しているが、通路構成体１２の形状は、必ずしも実施の形態のものに限定されない。この場合、通路構成体としては、開口枠と湾曲通路部とが一体となったものを適用することも可能である。さらに、係合部として、換気枠４０が通路構成体１２の上端部に配置された場合に互いに係合する係合片２０ａ，３４ｄ及び係合受部４２ｃ，４３ｃの組み合せを適用しているため、換気枠４０を取り付ける際の作業を容易化することができるが、本発明はその他の形態からなる係合部を適用しても構わない。さらにまた、換気枠に対して風向部材がヒンジ部によって開閉可能に配設してあるが、本発明はこれに限定されない。例えば、風向部材として換気枠に傾斜したルーバーを配設したものであっても構わない。
【００４７】
また、上述した実施の形態では、換気枠４０の戸先枠構成材４２及び支持枠構成材４３のそれぞれに外周タイト材装着部４２ｄ，４３ｄ及び下方タイト材装着部４２ｅ，４３ｅを設け、風向部材５０が第１の向きで換気枠４０を通路構成体１２に配置する場合と、風向部材５０が第２の向きで換気枠４０を通路構成体１２に配置する場合とで装着するタイト材４８，４９を変更するようにしているが、本発明はこれに限定されない。例えば、戸先枠構成材４２及び支持枠構成材４３の共通の位置にタイト材を装着し、風向部材５０が第１の向きで換気枠４０を通路構成体１２に配置する場合及び風向部材５０が第２の向きで換気枠４０を通路構成体１２に配置する場合のいずれにおいても、このタイト材を通路構成体１２との接合部に介在させても良い。
【００４８】
さらに、上述した実施の形態では、戸先枠構成材４２及び支持枠構成材４３で互いに対称となる位置にそれぞれ係合受部４２ｃ，４３ｃを唯一設け、かつ通路構成体１２の開口枠６及び湾曲通路部３０で互いに対称となる位置にそれぞれ係合片２０ａ，３４ｄを唯一設けるようにしているが、本発明はこれに限定されない。例えば、係合片及び係合受部を複数ずつ設け、換気枠と室外側で係合する係合片及び係合受部の組み合せと、換気枠と室内側で係合する係合片及び係合受部の組み合せとが異なるように構成しても良い。
【符号の説明】
【００４９】
６  開口枠、１０  換気装置、１１  室外側開口、１２  通路構成体、２０  係合片部材、２０ａ  係合片、３０  湾曲通路部、３１  側方板部、３２  下方板部、３３  通路側縦タイト材、３４ｄ  係合片、３４ｅ  押圧係合部、３７  通路側横タイト材、４０  換気枠、４２  戸先枠構成材、４２ｃ，４３ｃ  係合受部、４３  支持枠構成材、４８  外周タイト材部分、４９  下方タイト材部分、５０  風向部材、５３  形材ヒンジ部
【図１】
0006989402.tif 000002
【図２】
0006989402.tif 000003
【図３】
0006989402.tif 000004
【図４】
0006989402.tif 000005
【図５】
0006989402.tif 000006
【図６】
0006989402.tif 000007
【図７】
0006989402.tif 000008
【図８】
0006989402.tif 000009
【図９】
0006989402.tif 000010
【図１０】
0006989402.tif 000011